Podtech/llm-jp-corpus-v4-ja_patent huggingface dataset:
(57)【要約】      （修正有）【課題】離れた場所にいる虫を連続して吸引捕獲でき、虫を捕虫装置から保存容器に移し替える必要のない捕虫装置を提供する。【解決手段】虫類を収容する容器６と、内部を中空とし、軌道にフィルター８を有し且つ軌道の一端を容器６内に開口する本体１を、軌道の他端側に備えた空気を吸引する吸引手段と、外部と容器６内に開口部をもつ吸虫管５よりなる捕虫装置。【選択図】図２
2020025504.tif 000002
【特許請求の範囲】
【請求項１】
虫類を収容する容器と、内部を中空とし、該軌道にフィルターを有し且つ前記軌道の一端を前記容器内に開口する本体を、前記起動の他端側に備えた空気を吸引する吸引手段と、
外部と前記容器内に開口部をもつ吸虫管よりなる捕虫装置。
【請求項２】
前記吸引手段は、伸縮用の操作レバーを備えたジャバラである請求項１に記載の捕虫装置。
【発明の詳細な説明】
【技術分野】
【０００１】
本発明は、離れた場所にいる虫を連続して吸引捕獲でき、虫を保存容器に移し替える必要のない捕虫装置に関するものである。
【背景技術】
【０００２】
従来、小さな虫を吸引して捕獲するための装置はあったが、複数の虫を連続して捕獲することができなかった。また、近くにいる虫しか捕獲することができなかった。捕獲した後、捕虫装置から虫を保存するための容器に移す作業が必要だった。
【先行技術文献】
【特許文献】
【０００３】
【特許文献１】実願昭６０−４１１１１号広報
【特許文献２】登録実用新案第３２１２０４７号広報
【特許文献３】特開２０１３−９４１４３号広報
【発明の概要】
【発明が解決しようとする課題】
【０００４】
次のような問題点があった。
（イ）複数回連続して虫を捕獲する事ができない。
（ロ）遠くにいる虫を吸引捕獲することができない。
（ハ）捕虫装置から虫を保存するための容器に移す作業が面倒である。
本発明は、以上の問題点を解決するためになされたものである。
【課題を解決するための手段】
【０００５】
本発明は、前述の問題点を解消するために、外部と容器内に開口部をもつ、交換可能な吸虫管を備え、容器は取り外すと保存用の容器となるようにした。
【発明の効果】
【０００６】
本発明は、前述の構成によって、次に述べる効果がある。
（イ）複数回連続して虫を捕獲する事ができる。
（ロ）遠くにいる虫を吸引捕獲することができる。
（ハ）捕虫装置から虫を保存するための容器に移す作業が必要ない。
【図面の簡単な説明】
【０００７】
【図１】本発明の、操作レバー（２）を引く前の状態の側面図である。
【図２】本発明の、操作レバー（２）を引く前の状態の断面図である。
【図３】本発明の、操作レバー（２）を引いた後の状態の断面図である。
【図４】図１、図２、図３の１−１’線に沿う断面図である。
【発明を実施するための形態】
【０００８】
以下、本発明の実施の形態について説明する。
（イ）本体（１）には操作レバー（２）とジャバラ（３）と吸虫管（５）とキャップ部（７）およびフィルター（８）が付いている。キャップ部（７）を閉めて本体（１）に容器（６）を取り付けたとき、キャップ部（７）からは空気は漏れないようになっている。操作レバー（２）は回動軸（４）で本体（１）についており、操作レバー（２）を引くと、ジャバラ（３）が膨らみ、操作レバー（２）を戻すとジャバラ（３）が萎むようになっている。容器（６）の中の空気は、フィルター（８）と本体の空洞（１ａ）を介してジャバラ（３）の中の空気と繋がっている。容器（６）の中の空気は吸虫管（５）を介して外とも繋がっている。吸虫管（５）の一端が容器の中の空間に突き出た状態になっている。
本発明を使用するときは、吸虫管先端（５ａ）を虫に近づけ、操作レバー（２）を引く。操作レバー（２）が引かれると、ジャバラ（３）が膨らみ、空気は吸虫管（５）、容器（６）、フィルター（８）、本体の空洞（１ａ）を介してジャバラ（３）の中に入る。このとき、吸虫管先端（５ａ）近くにいる虫は空気と共に容器（６）の中に吸い込まれる。容器（６）の中に吸い込まれた虫は、フィルター（８）があるのでジャバラ（３）の中まで入ることはない。ジャバラ（３）は空気を吸引するための部品の一例であり、シリンダーとピストンや中空のゴムなどで代用することもできる。一匹の虫を捕獲後、さらにもう一匹の虫を捕獲するために、一旦操作レバー（２）を元に戻すが、吸虫管（５）の一端が容器（６）の中の空間に突き出た状態になっているために、捕獲されている虫が外部に出ることはごく稀である。つまり複数回連続して虫を吸引捕獲することができる。この操作を容易にするために、ゴムやばねにより操作レバー（２）を元に戻すようにすることが望ましい。この一連の操作は片手でできるので、半身になって腕を延ばすことで少し離れた場所の虫を捕獲することができる。吸虫管（５）は交換が可能であり、より長い吸虫管（５）に交換することで、さらに遠くの虫を捕獲することが出来るようになる。操作レバー（２）を元に戻す際、吸虫管先端（５ａ）から空気が出るが、吸虫管（５）とジャバラ（３）に空気が逆流しないための弁を設けることによりこれを防ぐこともできる。逆止弁を付けることにより、捕獲した虫が逃げ出さないという効果もある。容器（６）は、そのものが虫を保存するための容器となるので、捕獲した虫を保存するときには、容器（６）をキャップ部（７）から外して、容器に本来のキャップを付けるだけで良い。つまり、虫を捕獲装置から保存用の容器に移す作業が必要ない。キャップ部（７）は、市販のペットボトルのキャップと同じ形状のものとすれば、空のペットボトルを保存用の容器とすることができて便利である。本体（１）を容器（６）に差し込むだけで、本体（１）を容器（６）が固定され、空気が漏れなければ、キャップ部（７）は特に設ける必要はない。
【符号の説明】
【０００９】
１    本体
１ａ  本体の空洞
２    操作レバー
３    ジャバラ
４    回動軸
５    吸虫管
５ａ  吸虫管先端
６    容器
７    キャップ部
８    フィルター
【図１】
2020025504.tif 000003
【図２】
2020025504.tif 000004
【図３】
2020025504.tif 000005
【図４】
2020025504.tif 000006
(57)【要約】【課題】外出する時、支度に時間がかからないように、帽子につけ髪をつけた、つけ髪つき帽子を提供する。【解決手段】帽子の裏側（−１）の一端にネット（２）を設けネット（２）につけ髪（３）を固定した、つけ髪つき帽子を特徴とする。【選択図】図１
2020066833.tif 000002
【特許請求の範囲】
【請求項１】
帽子の裏側（１）一端にネット（２）を設け、ネット（２）につ髪（３）を設けた、つけ髪つき帽子。
【発明の詳細な説明】
【技術分野】
【０００１】  この発明は、帽子の裏側一端に、ネットを設け、ネットにつけ髪を固定する、髪の毛に関するものである。
【背景技術】
【０００２】  従来、帽子と髪の毛は、別々になっていた。
【先行技術文献】
【特許文献】
【０００３】
【特許文献１】
【発明の概要】
【発明が解決しようとする課題】
【０００４】  年齢を重ねると同時に、髪の毛に不安を感じ、ウイック、植毛などは高価で、毛染めなどに時間がかかっていました。本発明は、そのお金と時間をなくするためになされたものである。
【課題を解決するための手段】
【０００５】  帽子の裏側（１）一端にネット（２）を設けネット（２）につけ髪（３）を固定する。
本発明は、以上の構成よりなるつけ髪つき帽子である。
【発明の効果】
【０００６】  帽子とつけ髪が一体になっているので、髪の毛を気にせず帽子を、使用するだけでコンビニ、スーパー銀行など時間をかけずに、外出が楽になった。
【図面の簡単な説明】
【０００７】
【図１】  本発明の斜視図である。
【図２】  本発明の断面図である。
【発明を実施するための形態】
【０００８】以下、本発明を実施するための形態について説明する。
帽子の裏側（１）一端にネット（２）を設け、つけ髪（３）を固定する。本発明は以上のような構造である。これを使用するときは、帽子とつけ髪が一体になるので、外出時髪の手入れなどに時間がかかる事がなくなった。又帽子の素材と形、大きさ、髪の色を変えるだけで、子供から老人、男女問わず楽しむ事が出来る。
【符号の説明】
【０００９】１    帽子本体
２    ネット
３    つけ髪
【図１】
2020066833.tif 000003
【図２】
2020066833.tif 000004
(57)【要約】      （修正有）【課題】下着内の湿度上昇によって湿疹の発症やカビが発生することを防止する。【解決手段】下着内にポケット３を設け、前記ポケット内に吸湿材４を収納することにより、下着内の低湿度を維持する。【選択図】図３
2020066832.tif 000002
【特許請求の範囲】
【請求項１】
下着内に吸湿材を内蔵した下着。
【発明の詳細な説明】
【技術分野】
【０００１】本発明は下着内に吸湿材を内蔵し下着内の湿度の低減を企図するものである。
【背景技術】
【０００２】従来下着内の湿度低減を目的とする下着はなかった。下着内の湿度上昇によって湿疹の発症やカビ発生の懸念もある。
【発明の概要】
【０００３】この発明は社会活動において、下着内で上昇する湿度を低減しようとするものである、第一図は従来の下着である、第二図は本発明による低湿度下着で▲３▼はポケット、▲４▼は吸湿材である、第三図は第二図を裏返した平面図である、
吸湿材は使用者が着座、歩行、走行のいずれにも最も負担の少ない鼠蹊部に沿って二個設置している。
【課題を解決するための手段】
【０００４】この下着は使用時異物感があるためできる限り突出感のない形態にする。
【発明の効果】
【０００５】この発明により下着内の湿疹、カビの発生を防止できるよう低湿度を企図する。
【発明を実施するための最良の形態】
【０００６】広く社会に告知する。
【図面の簡単な説明】
【０００７】
【図１】第一図  平面図、従来の下着である。▲１▼はベルト部、▲２▼は開口部である
【図２】第二図  平面図、この発明による低湿度下着である、▲３▼はポケット、▲４▼は吸湿材であ、る。
【図３】第三図  平面図、この発明による低湿度下着の裏返し図である。
【図４】第四図  平面図、吸湿材である、
【図５】第五図は吸湿材の側面図である。
【符号の説明】
【０００８】▲１▼  ベルト部
▲２▼  開口部
▲３▼  この発明によるポケット
▲４▼  この発明による吸湿材
▲５▼  開口部
▲６▼  前垂れ
【図１】
2020066832.tif 000003
【図２】
2020066832.tif 000004
【図３】
2020066832.tif 000005
【図４】
2020066832.tif 000006
【図５】
2020066832.tif 000007
(57)【要約】【課題】寒い時期に防寒着を着用して屋外で水仕事をするとき、袖口が濡れるのを防ぐために肘上まで腕を覆うことで腕まくりをする手間を省くことが可能なビニール手袋を提供する。【解決手段】手首から上の部分は腕周りのサイズを広げて防寒着を着たままビニールゴム手袋が着けられるようにし、マジックテープによってずり落ちないようにするのを特徴とする。【選択図】図１
2020066831.tif 000002
【特許請求の範囲】
【請求項１】
１．従来のゴム手袋を上腕部まで伸ばし手首から上腕部までは、分厚い防寒着を着たまま手袋がはめられるよう腕の入ってる部分を大きくする。
２．手首から上腕部までは伸縮性のあるゴム素材か薄手ビニール手袋の素材か防水布地で作る。
３．手袋がずり落ちないようにマジックテープを上腕部真ん中あたりに付ける。
【発明の詳細な説明】
【技術分野】
【０００１】  この発明は、ビニールゴム手袋を上腕部の真ん中ほどまで長くし、手首から上腕部の真ん中までの袖幅の太さを太くし上腕部にマジックテープをつけた冬季屋外作業用ゴム手袋に関するものである。
【背景技術】
【０００２】  従来、ゴム手袋は肘くらいまでの長さで、袖幅の太さも人間の腕が入って少し余裕があるくらいのものだった。
【発明の概要】
【発明が解決しようとする課題】
【０００４】これは次のような欠点があった。
従来は真冬に屋外で水仕事（洗車、年末の大掃除のかべや窓掃除）などをするとき防寒着を着てない時はゴム手袋をすることができるが寒いため防寒着を着ていたら袖をまくってゴム手袋を付けないといけない。まくった袖とゴム手袋の境目は肌が出てしまい水が散ったり腕まくりをしていた袖口がずり落ちたりして困っていた。
本発明は、以上のような欠点をなくすためになされたものである。
【課題を解決するための手段】手の部分は従来のゴム手袋で手首から上腕部までは極端に袖幅の太さを太くし防寒着を着たままでも腕まくりせずすっぽり手が入るようにして手袋がずり落ちたりしないように上腕部にマジックテープを付けた。
【発明の効果】真冬の屋外での水仕事する時、防寒着を着たまま腕まくりしなくてもゴム手袋を付けることができる。
【図面の簡単な説明】
【０００７】
【図１】  本発明の正面図である。
【発明を実施するための形態】
【０００８】以下、本発明を実施するための形態について説明をする。
▲１▼手のひら部分は従来のビニールゴム手袋を使う。
▲２▼手首から上腕部にかけての部分は薄手のビニールゴム手袋か防水布で作り袖幅を極端に大きく広げる
▲３▼上腕部にマジックテープをつける。
本発明は、以上のような構造である。
こうすることによって厚手のジャンバーなどを着たまま腕まくりもすることなく、すっぽり肘・腕を覆うことができマジックテープで自分の腕の太さに合わせて留めているのでずり落ちない。
【符号の説明】
【０００９】１  ビニールゴム手袋部分
２  ビニール薄手手袋素材または伸縮性のあるゴム素材部分
３  マジックテープ
2020066831.tif 000003
【図１】
2020066831.tif 000004
(57)【要約】【課題】膨大な存在数が有るガードレール防護柵を併用活用し発電という新しい機能をもたせその数を生かした膨大な付加価値を新たにつける。【解決手段】膨大な存在数のガードレール防護柵を利用しこれにソーラーパネル太陽光発電装置を併設することで、原発１０基分超の膨大な発電量をあらたに生み出すことができガードレール防護柵に新たな機能と付加価値をつける事ができる。【選択図】図１
2020066982.tif 000002
【特許請求の範囲】
【請求項１】
膨大な存在数が有りながらその数をガードレール機能にしか生かしきれていないガードレール防護柵を併用活用し、これに新たにソーラーパネル太陽光発電装置を併設し新たな機能、付加価値を付け新規膨大電力を発電する。
【発明の詳細な説明】
【技術分野】
【０００１】この発明は膨大な存在数がありながら、その数を生かしきれていない膨大存在数ガードレール防護柵の併用活用新規膨大電力発電方法に関する。
【背景技術】
【０００２】従来膨大な存在数のガードレール防護柵は、せっかくのその膨大な数をガードレール機能以外には充分有効活用仕切れていない。
【先行技術文献】
【非特許文献】
【０００３】
【非特許文献１】ＪＦＥ防護柵標準図集インターネットカタログｗｗｗ．ｊｆｅ−ｋｅｎｚａｉ．ｃｏ．ｊｐ
【０００４】
【非特許文献２】太陽光発電総合情報インターネットカタログｓｔａｎｄａｒｄ−ｐｒｏｊｅｃｔ．ｎｅｔ
【発明の概要】
【発明が解決しようとする課題】
【０００５】しかしながら、以上の技術によれば、膨大な存在数のガードレール防護柵は防護柵機能だけにしか機能しておらず、せっかく現存する膨大な数量のもつ意味を活かし切れていない。
本発明はこの膨大な存在数のガードレール防護柵を併用活用しこれに新たに発電機能を併設し新たに膨大な電力を生み出すという膨大なガードレール防護柵に新たな機能新たな付加価値を付ける事を目的とする。
【課題を解決するための手段】
【０００６】以上の課題を解決するために、本発明はソーラーパネル太陽光発電装置を膨大な存在数のガードレール防護柵に併設する。これは単にソーラーパネルがガードレールにも、取り付けられるということだけで終わるのではなく１歩進んで、ガードレールにも、ではなく膨大な存在数のガードレールに、でありガードレールに特化したソーラーパネル太陽光発電装置を併設することを特徴とする。
【発明の効果】
【０００７】本発明によれば膨大な存在数のガードレール防護柵に着眼しこれに新たな機能の発電機能を併設するという１歩進んだ新しい発想で新たに膨大な電力を生み出すことができる。ソーラー太陽光発電装置から見ても専用設置場所を新たに開発しなくとも膨大に存在するガードレール防護柵に、取り付けることで経済的に充分な取り付け面積を確保することができ、これにより原発１０基分超の１０，７５０，０００ｋｗｈの膨大な電力を確保することができる。【０００８】本発明によれば、膨大な電力を化石燃料に頼らず自然エネルギーにより新たに発電することができ日本の二酸化炭素排出量削減と自然エネルギー利用推進努力を世界中にアピールすることができ、地球環境に貢献することができる。【０００９】現在の原発は事故時の惨事は重大なものであり、大型風力発電も周辺住民に騒音、低周波被害や倒壊時重大事故になる危険性があるが、それらに比較して本発明のメリットは明らかである。
【図面の簡単な説明】
【００１０】
【図１】この発明の一実施形態を示す斜視図である。
【発明を実施するための形態】
【００１１】この発明の実施形態を図１に示す。
膨大な存在数のガードレール防護柵の支柱パイプの中空部に必要に応じて鉄筋とコンクリートを入れ補強しソーラー太陽光発電装置を取り付け、膨大な電力を発電し近くの電柱等を利用し送電する。ソーラーパネル以外の発電必要機器もソーラーパネル横に設置する。
【００１２】「実施形態の効果」
現在ソーラーパネル発電装置はパネル面積５ｍ２で１ｋｗｈの発電能力がある。
一方ガードレールのビームパネル１枚は幅０，３５×４ｍ＝１，４ｍ２のため４枚×１，４ｍ２＝５，６ｍ２となり４枚で１ｋｗｈ超の発電ができることになる。
現在、ガードレールの総延長は１７２、０００、０００ｍあり、これをガードレール４枚分の長さ１６ｍで割ると、１０、７５０、０００ｋｗｈ超の電力となり、原発１基１００万ｋｗｈの１０基分超の膨大な電力を化石燃料を使わず発電することができる。
【００１３】「他の実施形態」
図１の実施形態では、ソーラーパネルは、ガードレール１枚とほぼ同寸の大きさになっているが、地面に接地する幅寸法にしてソーラーパネルの重量がガードレールにかかる分を軽減させてもよい。
【００１４】図１の実施形態では、ソーラーパネルは、地面に垂直に設置してあるが、太陽光を受けやすい角度に設置しても良い。
【００１５】図１の実施形態では、ソーラーパネル以外のその他発電必要機器類は、ソーラーパネル横側に取り付けてあるが、電柱側に設置しても良い。
【００１６】図１の実施形態では、パネル状のガードレールであるが、ガードパイプやガードケーブルでもよい。
【符号の説明】
【００１７】１  ソーラーパネル太陽光発電装置          ２  ガードレール
３  支柱                                  ４  鉄筋
５  コンクリート                          ６  その他発電必要機器類
【図１】
2020066982.tif 000003
(57)【要約】【課題】  本発明は、カプセル状の口紅を唇の下唇に乗せて、口紅を上下の唇に挟んで、上下の唇をすり合わせて、口紅を塗ることができるように工夫したカプセル状の口紅を提供する。【解決手段】  略１回の使用量のカプセル状の口紅本体と、この口紅本体の外周、唾で溶けるカブセルとからなることを特徴とする口紅。【選択図】図１
2020066615.tif 000002
【特許請求の範囲】
【請求項１】
略１回の使用量のカプセル状の口紅本体と、この口紅の外周は、唾で溶けるカブセルとからなることを特徴とする口紅。
【請求項２】
口紅は固形、あるいは液体であることを特徴とする請求項１記載の口紅。
【発明の詳細な説明】
【技術分野】
【０００１】  本発明は、カプセル状の口紅を唇の下唇に乗せて、口紅を上下の唇に挟んで、上下の唇をすり合わせて、口紅を塗ることができるように工夫したカプセル状の口紅に関するものである。
【背景技術】
【０００２】  従来の口紅は、スティック状の口紅本体を収納した容器を回転させることにより、口紅の先端を出して使用できるように構成したり、スティック状の塗布棒の先端部に一回の使用量の口紅本体を固定した使い捨て口紅だった。
しかしながら、前者の口紅は容器が嵩張ると共に、食後に口紅が落ちでいることが気になっても、小物を入れるポーチから、口紅を出して使用すると人前で目立ってしまい、公共の場で見苦しくなり、礼儀に反するという欠点があった。
また、後者の使い捨て口紅は、スティック状の塗布棒が比較的大きく、周囲の人にわからないように使用することは難しい、といった欠点があった。
【先行技術文献】
【特許文献】
【０００３】
【特許文献１】実開昭６２−１３６９１７号公報
【発明の概要】
【発明が解決しようとする課題】
【０００４】  本発明は以上のような従来の欠点に照らして考えると、嵩張る容器を用いなくても良く、周囲の人にわからないように使用することができて、口元を整えられる。
本発明の前記、ならびに、その他の目的と新規な特徴は、次に説明する。
ただし、図面は本発明の説明のためのものであって、本発明の技術的な範囲を限定するものではない。
【課題を解決するための手段】
【０００５】  上記目的を達成するために、本発明は、略１回の使用量のスティック状の口紅本体と、この口紅が外周部を覆う唾で溶けるカプセルとで口紅を構成している。
【発明の効果】
【０００６】  以上の説明でわかるように、本発明は、次に列挙する効果が得られる。
（イ）請求項１により、カプセル状の口紅本体（１）を指でつまんで、唇の下唇（４）に    乗せて、上下の唇で挟んで、上下の唇をすり合わせると、口紅を上下の唇に塗布する    ことができる。
したがって、唇の下唇に乗せて使う大きさなので、周囲の人にわからないようにカ    プセル状の口紅を使用して、上下の唇に口紅を塗布することができる。
（ロ）前記（イ）によって、この本発明の口紅本体（１）は、小さくてカプセル状なので    、周囲の人にはわからないように、コンパクトに持ち運ぶことができて、食後など必    要なときに、周囲の人にわからないようにして、たとえば、食事のあとで、すぐに、    唇を整えることができる。
（ハ）前記（イ）により、略１回の使用量の口紅本体（１）を唾で溶かすことができるよ    うに、カプセルで覆うだけで構成しているので、安価に製造でき、鏡を使わずに口紅    （２）がはみ出ることなく唇に手早く塗布することができる。
（二）前記（イ）によって、唇の下唇（４）に乗せて、唾でカプセルを溶かして口紅本体    （１）を上下の唇に塗布することができるので、指、または鏡を使用することなく、    上下の唇に口紅（２）を塗布することができる。
したがって、周囲の人にわからないように、自然な形で、上下の唇に口紅（２）を    塗布することができる。
（ホ）請求項２も前記（イ）〜（ニ）と同様な効果が得られる。
【図面の簡単な説明】
【０００７】
【図１】  本発明の断面図である。
【図２】  本発明の使用状態を示した説明図である。
【図３】  本発明の使用状態を示した説明図である。
【図４】  本発明の使用状態を示した説明図である。
【発明を実施するための形態】
【０００８】  以下、図面に示した発明を実施するための形態を説明する。
図１に示す本発明を実施するための形態において、１は、使い捨て状態で使用される本発明のカプセル状の口紅で、この口紅は、略１回の使用量の固形で、楕円形状、または円盤状に形成された口紅本体で、この口紅の外周部を覆う唾で溶けるカプセルとで構成されている。
また、本体の形状を多角形状の板体にしても、同様な作用、効果が得られる。
このように構成された口紅は、小さな化粧ケースに収納して携帯できる。
口紅を使用したい場合、周囲の人にわからないように化粧ケースより口紅を指でつまんで、唇の下唇に乗せて、唾でカプセルを溶かして、上下の唇に口紅（２）を塗布することができる。
前記本発明の他の実施例として、口紅を液状にしても同様な作用、効果が得られる。
【産業上の利用可能な形態】
【０００９】  本発明は口紅を製造する産業で利用される。
【符号の説明】
【００１０】    １  カプセル状の口紅本体
２  口紅
３  カプセル
４  下唇
５  指
【図１】
2020066615.tif 000003
【図２】
2020066615.tif 000004
【図３】
2020066615.tif 000005
【図４】
2020066615.tif 000006
(57)【要約】      （修正有）【課題】自転車を運転するとき、ペダルを踏む力が効率よく自転車駆動に伝わるようにできる装置を提供する。【解決手段】クランク角度が−１５度から＋１５度を避けると安定した状態になるためクランク２を途中で曲げてペダル１の位置が回転角が−１５度または＋１５度になる様にする。【選択図】図２
2020066412.tif 000002
【特許請求の範囲】
【請求項１】
チエーンスプロケットと軸心が同一軸に接続されたクランクとその他端にペダルを配置した駆動部においてペダルが垂直の位置から駆動回転方向に１５度以上回転させた位置、または駆動回転方向とは逆に−１５度以下に遅らせた位置にペダルが来るようにクランクを途中で曲げた自転車駆動装置。
【請求項２】
上記１項で記した、この曲がったクランクを進行方向に左右対に配置した自転車駆動装置。
【発明の詳細な説明】
【技術分野】    Ｂセクション処理操作；運輸
【本発明の詳細な説明】
現在の自転車はペダルを踏んで動くのが一般的ですが、この時ペダルを踏む力が自転車の駆動に効率よく伝達しておりません、特にクランクが垂直の位置から回転角が−１５度から＋１５度までの範囲は図−１に示すように自転車を前方に動かすのに何十倍も踏む力を大きくなります、この効率の悪い回転角を避ける方法として、クランクを途中で曲げてペダルが＋１５度以上か、−１５度以下の位置に来るようにしますとこの異常な荷重値を避けることが可能となり、非常に安定した駆動装置となります。
このようにペダルの位置が回転方向に回転角度−１５度から＋１５度の範囲を避けことによりペダルにかかる踏む力をを安定させ１００％に近い駆動力を得ることが出来るようになります。
これを機構的に解決する方法として図−４，５のようにクランクを曲げて、ペダルの位置が−１５度にマイナス回転させた位置に来るようにするか、またはペダルの位置を図−２，３のように＋１５度回転させた位置にペダルが来るようにクランクを曲げて配置します。
これによりペダルを踏む力が効率よく自転車駆動に伝わるようにしたのが本発明の自転車駆動装置です。
ペダルの位置は図２，３，４，５の様にクランクの途中からある角度を持ってクランクを曲げペダルの回転軌跡が回転角−１５度から＋１５度の間の位置に来るのを避ける様にします。
このクランクの曲げ方は第２、４図の様な直線の曲げでも第３、５図の様な曲線でもよい。これによりペダルを踏む力を平準化し効率的に自転車を駆動出来るようにした、自転車駆動装置であります。
【図面の簡単な説明】
【図１】現在のペダルを踏む力と本発明品の踏む力との自転車の駆動力の関係です、現状の構造ではクランクが垂直（回転角０度）の時がピークで最悪の効率となりますが本発明の駆動装置ではペダルを踏む力が平準化した状態になります。
【図２】−
【図５】第２、３図と第４、５図は本駆動装置の実施例で１−ペダル、２−クランク、３−スプロケット、４−回転角度を示しております。
【図１】
2020066412.tif 000003
【図２】
2020066412.tif 000004
【図３】
2020066412.tif 000005
【図４】
2020066412.tif 000006
【図５】
2020066412.tif 000007
(57)【要約】      （修正有）【課題】放射性廃棄物を利用して、発電する装置を提供する。【解決手段】タンクを水の中に沈めて、タンク内部の放射性廃棄物からの各種放射線を水で遮断し、この放射線より（β崩壊によるβ線はある程度の厚さの物質に遮断されるが、物質が導体か絶縁体かによって、導体であれば導体内に留まり自由電子となるが、絶縁体であれば橋掛け劣化する）タンク導体を負に帯電させ、正電荷の高電圧と接続し、電子を引き寄せて発電する。タンク外側外壁に絶縁体などのコーティングで、放電を防いでおく。【選択図】図１
2020095001.tif 000002
【特許請求の範囲】
【請求項１】
タンク（特願２０１８−２１２５６４）の中に放射性廃棄物を封入して水に沈め、タンク内が各核種の崩壊の放射線の内のβ崩壊によりβ線放出で、正電荷の高電圧になるので、（β崩壊は中性子が電子と反ニュートリノを放出して陽子核になる）その電圧を利用して、タンク導体が放射線により（β線はある厚さ以上で遮断される事により、導体であれば、自由電子となり、絶縁体であれば、橋掛け劣化を起こす）、負に帯電するので、そこから電子を引き寄せて発電する。この時、外側導体は、絶縁体を外壁にコーティングなどして放電を防いでおく。
【発明の詳細な説明】
【技術分野】
【０００１】  本発明は放射性廃棄物の処理に関する
【背景技術】
【０００２】  現在放射性廃棄物処理は、地下埋設などで、半減期を待って、自然浄化を待つしかなく、この待機時に発電して、エネルギーを供給しながら自然浄化を待つ
【先行文献】
【０００３】  モーズリーの放射線による高電圧の測定実験より
【発明の概要】
【発明が解決しようとする課題】
【０００４】  放射性廃棄物処理で、放射線による環境汚染問題
【課題を解決するための手段】
【０００５】  放射線を発する放射性廃棄物をタンク（特願２０１８−２１２５６４）に封入し水に沈めて放射線を遮断して、タンク内が正電荷の高電圧になることを利用して、回路を組み、外側導体がβ線を遮断して、電子を閉じ込めて自由電子を帯電させる事を利用して、負極導体より電子を引き寄せて発電する。放射性廃棄物が、半減期を待つ間中発電して、電気エネルギーを得ながら安定を待つ。
【発明の効果】
【０００６】  地下埋設などで、ただ待つしかなかった処理に、放射線エネルギーを電気エネルギーに変換しながら、放射性物質の安定元素へと変換を待つ事が出来る。水によって放射線を遮断出来るので
【発明を実施するための形態】
【０００７】  放射性廃棄物をタンク（特願２０１８−２１２５６４）に封入して、水タンクなどに沈めて放射線を遮断し、高電圧（モーズリー測定実験よりβ崩壊で中性子が電子と反ニュートリノを放出する事で陽子核になり、正電荷の高電圧になる）から回路を構築して、直流を交流に変えて、送電し、抵抗率より電流量を抑えて、タンク内部よりの放射線でタンク導体が負に帯電する（β崩壊によるβ線はある程度の厚さの物に遮断されるが、導体であれば、自由電子に、絶縁体であれば、橋掛け劣化する）ので、その電子を引き寄せて、発電プラントとする。
タンク外側外壁に絶縁体でコーティングなどして、放電を防いでおく。
【産業上の利用の可能性】
【０００８】  原子力発電などの放射性廃棄物処理や、廃炉などによる廃棄物処理などに利用出来る。
発電プラントであり、電気エネルギー供給に寄与する。
【図面の簡単な説明】
【０００９】
【図１】  図面は、発電の流れと、装置の基本的考え方をイメージしたもので、廃棄物タンク（特願２０１８−２０２５６４）は絶縁体で密閉して、導体棒より導線へ、電気回路を経て、タンク導体より導体棒へと、直流の電池の原理の発電装置を示す図である。
【図１】
2020095001.tif 000003
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
タンク（特願２０１８−２１２５６４）の中に放射性廃棄物を封入して水に沈め、タンク内が各核種の崩壊の放射線の内のβ崩壊によりβ線放出で、正電荷の高電圧になるので、（β崩壊は中性子が電子と反ニュートリノを放出して陽子核になる）その電圧を利用して、タンク導体が放射線により（β線はある厚さ以上で遮断される事により、導体であれば、自由電子となり、絶縁体であれば、橋掛け劣化を起こす）、負に帯電するので、そこから電子を引き寄せて発電する。この時、外側導体は、絶縁体を外壁にコーティングなどして放電を防いでおく。
タンクの潜在能力は、廃棄物容積により決定する。
(57)【要約】【課題】銀行の個人用インターネットバンキングをやめて、ふつう貯金を安定化したいという庶民が増えている。しかし、やめても、ぬすみがのこり、完全に貯金を信用をもってあずかるということが難しい現状である。【解決手段】まず、ホームページを個人口座ごとにページ番号を設けて、個有化し、ロックをかけられるようにする。その上で、振込記録が保存される。自動入力化し、個人の自由入力を制限し、入力ミスを防止し、作業の迅速化を図る。パスワードや暗唱番号以外に画面ロックをかけられ、確実に本人の残高だけを見ることができ、振込は、記録が保存されることになる。尚、送信された番号は表示しない。【選択図】図１
2020052988.tif 000002
【特許請求の範囲】
【請求項１】
銀行インターネットバンキング（個人用）ホームページで、自動入力専用ホームページに使う、自動送信機
【請求項２】
ワンタイムパスワードとページ番号を送信でき、送信機によってもロックをかけることができる自動送信機．
【発明の詳細な説明】
【技術分野】
【０００１】本発明は、銀行内個人用インターネットバンキングの自動送信機に関する。
【背景技術】
【０００２】従来は、銀行では、家庭内パソコンから、自己入力によって本人の残高や振込を行っている。
又、私が過去にユーザＩＤ、確認番号については、自動送信機を使うことを提案したことがあるが、それにつづいての改善型送信機である。
又、ホームページについても、送信機で発信することにより入力することを多くし、できる丈、本人の自己入力を制限し少なくするため、従来より自動入力化したもの、を考案してきた。
【発明の概要】
【発明が解決しようとする課題】
【０００３】銀行内個人用インターネットバンキングにおいて、ぬすみが多発しており、インターネットバンキングをやめてほしいという国民が増えている。つまり、ふつう貯金へもどり、個人管理しなくても安心して貯金が確保できるようにしたいということである。しかし、銀行側は、セキュリティ強化を心掛けているが、インターネットバンキング（個人用）をとり外しても、なお、少しぬすめるという現状を克服できず、このままふつう貯金化すると、信用を失う可能性がある。なるべく簡易的にぬすみを防止しつつ、ふつう貯金を安全化する方策を探る必要がある。
インターネットバンキングだと、本人確認が十分でなく、勝手に他人の口座番号の入力をして、残高をみることができてしまう。つまり、自由に口座番号を入力できることは、他人の口座残高を知ったり、振込で自分から出金どころか、他人から入金を指示することさえできることをいみする。
ホームページの事務処理を迅速化し、確実な本人確認を行いつつ、安全な貯金と銀行側の信用に貢献することを課題とする。
【課題を解決するための手段】
【０００４】まず、銀行用ホームページの自己入力を最小限とし、それ以外は、なるべく自動送信機による入力にかえる。
又、各銀行のホームページは、１つしかないが、これを口座番号ごとにホームページのページ番号をつくる。つまり、客が３人いたら、ページ番号は１から３まであり、それぞれを独自のページとする。
ホームページのはじめの画面で、従来のユーザＩＤ、確認番号など、番号を色々入力するのに加えて、ページ番号があり、自動送信機で送信することにより入力する。各銀行のはじめの画面で入力する番号は、全て自動入力化されなければならない。つまり、自動送信機にページ番号、ユーザＩＤ、確認番号その他の番号が全て入っていて、それをボタンを押して、パソコンに入力していくことになる。これにより、確認ができると、残高照会が確実にみることができる。つまり、残高は、本人の番号のページの分しかみることはできない。
又、振込のページに行くときも、出金先と出金金額を入力できるだけである。
それ以外は、やはり、送信機によって、自動入力されなければならない。
2020052988.tif 000003
は、制限がかかっていて、送信機で入力しなければ、入力が完了しない。
又、確認のためのワンタイムパスワードも自動入力化されており、制限がかかっていて、自由に入力できない。このことにより、侵入して、他人のページをぬすみのために操るということは、できない。
尚、このホームページは、ページ番号が口座番号ごとについており、各銀行でページごとに画面がロックされており、よみとり機による自動入力か、よみとり機なしのこの自動送信機によってでなければ、画面のロックを解除できない。
つまり、専用のキャッシュカードをよみとり機にかけて、自動入力にするか、自動送信機でボタン入力しなければ、ページをあけることができない。
又、ページを一旦終了しとじると、自動的にロックされ、再度ページをあけるとしても、送信機を使うことになる。
自動送信機には、画面の一時固定として、画面ロックボタンもある。
更に、ページがあるということは、振込を終了しても、全ての記録は保存され、振込履歴がリストアップされることになる。
この画面上にリストアップされない振込指示は、どろぼうということになる。
又、誤って振込（入金）指示をだしたとしても、本人の入力したものは、全て保存され、銀行側もそのリストをみることができる。
【発明の効果】
【０００５】自動送信機で入力を制限し、ページを各口座ごとにつくり、入力した振込情報を保存することにより、正しい記録がリストアップされる。
ぬすみ防止に役立つことになる。
【図面の簡単な説明】
【０００６】
【図１】本発明の実施形態を示す自動送信機平面図
【発明を実施するための形態】
【０００７】以下、本発明の実施形態を説明する。
【０００８】図においては、１は、ホームページ初画面全ての番号をつづいて入力できるボタンである。
２は、ホームページの個有のページ番号である。
３は、本人確認のためのワンタイムパスワードを都度送信できるボタンである。
４は、振込を実行、保存、自動ロックを１回でするボタンである。
ロックを解除するには、２のページボタンを押して解除する。
５は、電源である。
２は、ページ番号だけでなく、銀行名がはっきりわかる表示でなければならない．たとえば、三井住友銀行ならば、三井２５６個というような感じである。ＭＩＴＳＵＩ２５６コという表示でもわかる。
尚、自動入力した情報は、画面表示されない。○○○○といった風に表示される。
機械の中に入っている数字、記号は、全て、本人に教えない。全てボタンをおすだけであり、銀行員もあえてシステムで内部調査しなければ、窓口ではわからないことになっている。
【図１】
2020052988.tif 000004
(57)【要約】【課題】  出足し，４０ｋｍ位までの低速走行の時，万一，のペタルの踏み違いによる事故を起こす。【解決手段】  出足しや低速走行の時，ペタルの踏み違い事故をストッパーを立ててアクセルの踏み込みを制限して，事故を未然に防ぐ。【選択図】図２
2020024648.tif 000002
【特許請求の範囲】
【請求項１】
アクセル（１）の下にストッパー（２）を設け，走り出しから４０ｋｍ位までは，ストッパー（２）を立ててアクセル（１）踏み込みを制限して，走り出し時のペタルの踏み違い事故をアクセル（１）の制限によって未然に防ぐ。
【請求項２】
４０ｋｍ以上は，レバー（３）とアクセル（１）を一緒に踏み込んでストッパー（２）を倒し，スピードを４０ｋｍ以上に上げる。
レバー（３）はアクセル（１）を上げる時，一瞬で良い。
【発明の詳細な説明】
【技術分野】
【０００１】  この発明は，アクセルの下にストッパーを設け，走り出しから４０ｋｍ位までは，ストッパーを立てて走行し，走り出しの時，低速走行の時，万一，のペタルの踏み違いによる事故を未然に防ぐことが出来る。
【背景技術】
【０００２】    従来，アクセルの踏み込みに規制は無かった。
【発明の開示】
【発明が解決しようとする課題】
【０００３】    これは，次のような欠点があった。
従来，アクセルの踏み込みに規制はなかった。
その為，誤ってブレーキのつもりでアクセルを踏み込み，大変な事故を起こして仕舞った。
本発明は，ペタルの踏み違い事故を未然に防ぐために設けられた物である。
【発明が解決するための手段】
【０００４】    オート，マチック車のアクセル（１）の下にストッパー（２）を設け，走り出す時，４０ｋｍ位の低速走行の時ストッパー（２）を立てて，アクセル（１）の踏み込みを制限して，万一，のペタルの踏み違い事故をアクセルが踏み込めない為，未然に防ぐことができる。
万一，の時，アクセルが踏めないと踏めるでは天と地ほどの差がある。
【０００５】  走り出しから４０ｋｍ位までは，ストッパー（２）でアクセル（１）の踏み込みが制限されるが，４０ｋｍ以上はアクセルとレバー（３）を一緒に踏み込んで，アクセル（１）の踏み込みを自由にする。
レバー（３）はアクセル（１）を踏み込む時だけ一瞬。
急ぎの時も走り出しはストッパー（２）を使用。
【０００６】  一般道路では，走り出す時から４０ｋｍ位まではストッパー（２）を使って安全運転に徹し，高速道路では走り出しら回りの車に逢わせて，レバー（３）とアクセル（１）を一瞬，一緒に踏み込み，ストッパー（２）が倒れたら後はアクセル（１）だけを踏み込みスピードを上げて他車に逢わせる。
外から見れば，走り出しから時速１００ｋｍまでの車の動きは他車と変わらない。
【図面の簡単な説明】
【０００７】
【図１】  本発明のアクセルとストッパーとレバーの右側面。
【図２】  アクセルと立っているストッパーとレバーの右断面図。
【図３】  踏み込まれたアクセルとレバーに押され斜めに倒れたストッパー
【符号の説明】
【０００８】  １  アクセル
２  ストッパー
３  レバー
【図１】
2020024648.tif 000003
【図２】
2020024648.tif 000004
【図３】
2020024648.tif 000005
(57)【要約】      （修正有）【課題】文化風習の異なる外国人旅行者が日本でトイレや浴場やコインランドリーを使用する際に自国の習慣で用をたすことが見受けられ、例えばマナー問題やトイレの汚れなど様々な不都合を生じていた。そのため所有者の維持管理や、使用する人が不快な思いをすることが多かった。又、交番や旅行案内所で混雑した状態で、異国での道案内など簡単なことは人に頼らなくても解決できる手段を提供する。【解決手段】外国人旅行者が利用するトイレや浴場の内部に操作の簡単な装置を取り付け、利用方法を音声や動画により理解して安心して用を済ませることを目的に使用者の自国語で音や映像などで正しい使用方法を説明する装置を提供する。交番や旅行案内所や寺社などの案内、薬局やコンビニなど多くの用途にも活用でき外国人旅行者に便利なツールとして提供する。【選択図】図１
2020024700.tif 000002
【特許請求の範囲】
【請求項１】
トイレの使用者が当該国の言語で音声により容易に利用方法を理解せしめる装置
【請求項２】
浴場利用者が当該国の言語で音声により容易に利用方法を理解せしめる装置
【請求項３】
コインランドリー利用者が当該国の言語でより容易に利用方法を理解せしめる装置
【請求項４】
交番に警察官が不在の時、訪問者が知りたいことを当該国の言語で応答する装置。
【請求項５】
その他外国人旅行者等が求める情報や道順などの案内や様々な利便性向上に当該国の言語で応答する装置。
【請求項６】
請求項１−５について点字により視力障害者が装置の説明を理解する装置
【請求項７】
請求項１−５について情報端末により容易に利用方法を理解せしめる装置。
【発明の詳細な説明】
【技術分野】
【０００１】  本発明は、旅行者が母国語で日常利用する施設の使い方や旅行者に必要な情報を提供する装置に関するものである。
【背景技術】
【０００２】  従来はチラシや文字やイラストによる簡単な掲示のものが多く利用者の理解を得る十分な情報は提供されてなかった
【先行技術文献】
【０００３】
【非特許文献１】観光庁発行２０１９年番観光白書
【０００４】
【非特許文献２】浴場組合配布の入浴時マナーや既設の使い方ポスター
【発明の概要】
【発明が解決しようとする課題】
【０００５】  訪日客の増加は急速に増加しここ３年で６割の伸びを示し消費額は１兆円を超えており今後も増加傾向は続く傾向にある（非特許文献１）
文化習慣の異なる外国人旅行者が例えばトイレの使用方法や公衆浴場における入浴時のマナーとかコインランドリーの使用方法に関する掲示やポスターなどで利用方法の情報では理解ができていない傾向であった。（非特許文献２）
【課題を解決するための手段】
【０００６】  本発明は、外国人旅行者がトイレや大衆浴場等の施設利用についての説明手段が有していた問題を解決しようとするものである。又、外国人旅行者等が交番や旅行案内所などの様々な場面で音声や画面及び点字により利用方法を理解してマナーを守りながら利用できることを目的とする。【０００７】  使用者は自国の国旗ボタン２を押すことによって、本人の理解できる母言語がスピーカー３からの音声や情報端末による文字やイラストなどで利用方法の理解度が深まる。【０００８】  使用者が視聴覚障害者の場合は点字や情報端末による表示でも理解できる
【発明の効果】
【０００９】  文化風習の異なる外国人旅行者が例えば日本でトイレとか大衆浴場利用する際に利用方法が異なること等やマナーの欠如が見受けられ等様々な不都合を生じていた。従って他の利用者が不快な思いをすることが多く又、所有者の維持管理や衛生面での不都合を解決し又、簡単な旅行案内所で人と対面することなく情報を得る手段が望まれていた。
道に迷ったりした時等、交番に飛び込むも警察官不在の場合旅行者は路頭に迷うことになっていた。
本発明は上記のことなどを改善する効果を提供する。
【図面の簡単な説明】
【００１０】  以下、本発明を図１〜図８に基づいて説明する。
【図１】は浴場・コインランドリーやトイレ等に取り付けた音声による説明装置
【図２】は交番や旅行案内所に設置する案内装置
【図３】は音声説明装置の構成概念図
【図４】は浴場・コインランドリーやトイレ等に取り付けた音声による説明装置斜視図
【図５】は交番や旅行案内所に設置する案内装置斜視図
【図６】は情報端末を利用したタッチパネルの斜視図
【発明を実施するための形態】
【００１７】  以下、本発明の実施の形態は図１〜図６に示すように装置の母国語のボタンやタッチパネルを押すだけで必要な説明を受けることができる。
必要に応じてボタンやタッチパネルは目的に応じて容易に交換できる構造になっている。
【産業上の利用可能】
【００１７】  例えば、薬局・遊戯施設・コンビニ・寺社などの観光地など幅広い用途が考えられる。
【符号の説明】
【００１８】  １  装置の容器
２  操作ボタン
３  音声発生装置（スピーカー）
４  停止ボタン
５  情報端末タッチパネル及びディスプレー
６  説明用点字
７  電池及びＤＣ電源
８  翻訳音声ユニット
【図１】
2020024700.tif 000003
【図２】
2020024700.tif 000004
【図３】
2020024700.tif 000005
【図４】
2020024700.tif 000006
【図５】
2020024700.tif 000007
【図６】
2020024700.tif 000008
(57)【要約】【課題】  東日本大震災及び近年激甚災害が頻発していることに鑑み、この様な大災害から生命身体等を守り生還することを目的とした自主防災設備を提供する。地震、津波、台風、洪水、高潮、土石流、雷、竜巻、暴風雪、火災、放射能、等々の災害で、行き場の無い不安を感じた時及び１分１秒を争う場合の緊急避難場所としての安全安心を提供する設備であり、長期避難も可能なものとする。長期避難避難においては車を用い生活が可能なものとする。【解決手段】  住居、事業所等に、水に浮き装甲性能を有する災害用緊急避難設備を新設又は増設して災害を回避する。また前記設備においては車を格納出来る構造とし、多種の災害に対応出来る様にする。又前記設備等のメンテナンス及び災害時等における前記カプセルの救助、移動避難等を行なう事業所を設立する方法で前記カプセル及び人命等における万全の安全体制を確保する。【選択図】図７
2020176515.tif 000002
【特許請求の範囲】
【請求項１】
柱又はトラス等にガイドレールを設けることで、津波時、大津波時、洪水時、大洪水時、高潮時、土石流時には装甲性能及び水密性能を有する災害用緊急避難カプセルの浮力により前記カプセルが上下することで、前記カプセル及び人命等の安全安心を確保することを特徴とする、原則として前記カプセルが柱又はトラス等から流出しないエレベーターシステム型災害用緊急避難設備。
【請求項２】
設備のメンテナンス、非常食の取り替え、常時監視、非常時における救助等の事業所を設立する方法で人命等の安全を確保することを特徴とする［請求項１］に記載の災害用緊急避難設備。
【発明の詳細な説明】
【技術分野】
【０００１】本発明は災害用緊急避難設備に関する。
【背景技術】
【０００２】現在出願されているものでは東日本大震災及び近年の激甚災害において実用性に欠しいので実際に普及出来る実用的な物とする。
【先行技術文献】
【特許文献】
【０００３】
【特許文献１】特許第６３８９９８３号
【発明の概要】
【発明が解決しようとする課題】
【０００４】東日本大震災及び近年の激甚災害にも耐え生還出来る構造、方法を用いた設備とする。
【課題を解決するための手段】
【０００５】図１ないし図７の通り。
【発明の効果】
【０００６】人類の生存に寄与する。
【図面の簡単な説明】
【０００７】
【図１】災害用緊急避難設備の平面図である。
【図２】比較的洪水高が低い場合の設備の斜視図である。
【図３】洪水高が中ぐらいの場合の設備の斜視図である。
【図４】比較的洪水高が高い場合でラチスを用いた設備の斜視図である。
【図５】比較的洪水高が低い場合で柱と梁を用いた設備の正面図及び側面図である。
【図６】避難カプセルを２階以上に設置した場合で柱と梁を用いた設備の正面図及び側面図である。
【図７】比較的洪水高が高い場合でトラスを用いた設備の正面図及び側面図である。
【発明を実施するための形態】
【０００８】なるべく早く秒単位で乗り込める構造とする。クレーン等での移動・避難が簡単である。また本設備の新増設に当たっては、新設部分、増設部分及び既存部分が建築基準法に抵触しない様にする。尚洪水高、津波高等はハザードマップ等を参考とし、災害用緊急避難カプセルが流出しないように柱高を設計する。また運搬時には道路交通法に抵触しない様にする。
【実施例】
【０００９】図１から図７は洪水高、津浪高に応じた実施例の図である。また使用する車の大きさに応じた避難カプセル、柱、梁等の部材を構造計算で求め設計する。
【符号の説明】
【００１０】１    柱
２    ガイドレール（２例を示す）
３    水に浮き装甲性能を有する災害用緊急避難カプセル
４    車
５    鉄筋コンクリート製基礎
６    梁
７    ラチスタワー
８    既存建物
９    駐車スペース
１０  沈没防止用オプションフロート
１１  トラスタワー
１２  吊り上げ用トラッククレーン
１３  ｈ：カプセルの高さ
１４  Ｈ：避難設備の高さ（Ｈ＝ＷＬ＋ｈ  程度）
１５  ＷＬ：ハザードマップ等による洪水高、津波高
【図１】
2020176515.tif 000003
【図２】
2020176515.tif 000004
【図３】
2020176515.tif 000005
【図４】
2020176515.tif 000006
【図５】
2020176515.tif 000007
【図６】
2020176515.tif 000008
【図７】
2020176515.tif 000009